(57)【特許請求の範囲】
【請求項１】
基板と、
前記基板の一面側に設けられた光源と、
前記一面側に設けられ、所定の位置情報を端末装置に送信する位置情報送信器と、を備え、
前記位置情報送信器は、右手／左手系複合線路メタマテリアル構造を形成するように構造化され、
前記一面上に直接又は間接的に積層された第１の導電層と、
前記第１の導電層上に積層された第１の絶縁層と、
前記第１の絶縁層上に積層され、前記第１の導電層とそれぞれが導通接続され全体として略櫛形状を形成する複数の導電パターンを含む第２の導電層と、
前記第２の導電層上に積層された第２の絶縁層と、
前記第２の絶縁層における前記複数の導電パターンと重なる複数箇所に個別に設けられた複数の導電パッチと、を有し、
前記基板に垂直な方向から見て、前記第２の導電層の櫛歯間に前記光源の少なくとも一部が配置されていることを特徴とする照明装置。
【請求項２】
前記光源は、複数の発光部を含み、
前記導電パターンは、縦辺部が前記櫛歯となる略Ｔ字形状であり、
前記基板に垂直な方向から見て、隣り合う２つの前記導電パターンの前記縦辺部間に前記発光部が少なくとも１つ配置されていることを特徴とする請求項１に記載の照明装置。
【請求項３】
前記導電パターンの前記縦辺部と前記第１の導電層とが導通接続され、
前記第２の絶縁層における前記導電パターンの横辺部の一端及び他端に対応する箇所に前記導電パッチが設けられていることを特徴とする請求項２に記載の照明装置。
【請求項４】
前記光源は、複数の発光部を含み、
前記導電パターンは、各横辺部が前記櫛歯となる略Ｅ字形状であり、
前記基板に垂直な方向から見て、前記横辺部間に前記発光部が少なくとも１つ配置されていることを特徴とする請求項１に記載の照明装置。
【請求項５】
前記導電パターンの３つの前記横辺部のうち中辺部と前記第１の導電層とが導通接続され、
前記第２の絶縁層における前記導電パターンの３つの前記横辺部のうち上辺部及び下辺部に対応する箇所に前記導電パッチが設けられていることを特徴とする請求項４に記載の照明装置。
【請求項６】
前記導電パッチは、前記基板に垂直な方向に凸形状であることを特徴とする請求項１〜５のいずれか一項に記載の照明装置。
【請求項７】
前記導電パターンと前記第１の導電層の接続部は、前記第１の絶縁層の側面に沿って配置されている特徴とする請求項１〜６のいずれか一項に記載の照明装置。
【請求項８】
前記導電パターンと前記第１の導電層の接続部は、前記第１の絶縁層に設けられた貫通孔に挿入されていることを特徴とする請求項１〜６のいずれか一項に記載の照明装置。
【請求項９】
前記接続部と、前記導電パッチとは、前記基板に垂直な方向から見て重なっていないことを特徴とする請求項７又は８に記載の照明装置。
【請求項１０】
前記第１の導電層は、グランドとショートで終端されていることを特徴とする請求項１〜９のいずれか一項に記載の照明装置
【請求項１１】
前記位置情報送信器は、屋内測位が可能な通信方式を用いて前記位置情報を送信することを特徴とする請求項１〜１０のいずれか一項に記載の照明装置。
【請求項１２】
前記位置情報を受信した端末装置から、該端末装置の識別情報と前記位置情報とを受信し、前記識別情報と前記位置情報とを前記端末装置の位置を管理する管理サーバへ送信する無線通信器を更に備えることを特徴とする請求項１〜１１のいずれか一項に記載の照明装置。
【請求項１３】
請求項１２に記載の照明装置と、
前記照明装置の位置情報送信器から前記位置情報を受信し、該位置情報と固有の識別情報を前記照明装置の無線通信器に送信する端末装置と、
前記無線通信器から前記位置情報と前記識別情報を受信して前記端末装置の位置を管理する管理サーバと、を備える位置情報管理システム。
【請求項１４】
請求項１〜１１のいずれか一項に記載の照明装置と、
前記照明装置の位置情報送信器から前記位置情報を受信する端末装置と、
前記端末装置から前記位置情報と固有の識別情報とを受信して前記端末装置の位置を管理する管理サーバと、を備える位置情報管理システム。
【請求項１５】
右手／左手系複合線路メタマテリアル構造を形成するように構造化され、所定の位置情報を端末装置に送信する位置情報送信器と、複数の発光部を含む光源とが基板の一面側に設けられた照明装置の製造方法であって、
前記一面上に第１の導電層を直接又は間接的に積層する工程と、
前記第１の導電層上に第１の絶縁層を積層する工程と、
前記第１の絶縁層に複数の貫通孔を形成する工程と、
前記第１の絶縁層上に、複数の導電パターンを含む第２の導電層を全体として略櫛形状となるように形成するとともに、前記複数の導電パターンそれぞれと前記第１の導電層とを前記貫通孔を介して導通接続する工程と、
前記第２の導電層上に第２の絶縁層を積層する工程と、
前記第２の絶縁層における前記複数の導電パターンと重なる複数箇所に複数の導電パッチを個別に形成する工程と、
前記第２の絶縁層における前記第２の導電層の櫛歯間に対応する領域に前記発光部を少なくとも１つ実装する工程と、を含む照明装置の製造方法。
【請求項１６】
右手／左手系複合線路メタマテリアル構造を形成するように構造化され、所定の位置情報を端末装置に送信する位置情報送信器と、複数の発光部を含む光源とが基板の一面側に設けられた照明装置の製造方法であって、
前記一面上に第１の導電層を直接又は間接的に積層する工程と、
前記第１の導電層上に第１の絶縁層を積層する工程と、
前記第１の絶縁層上に、複数の導電パターンを含む第２の導電層を全体として略櫛形状となるように形成する工程と、
前記第１の導電層と前記複数の導電パターンそれぞれとを導通接続する工程と、
前記第２の導電層上に第２の絶縁層を積層する工程と、
前記第２の絶縁層における前記複数の導電パターンと重なる複数箇所に複数の導電パッチを個別に形成する工程と、
前記第２の絶縁層における前記第２の導電層の櫛歯間に対応する領域に前記発光部を少なくとも１つ実装する工程と、を含む照明装置の製造方法。
【発明の詳細な説明】
【技術分野】
【０００１】
本発明は、照明装置、位置情報管理システム及び照明装置の製造方法に係り、更に詳しくは、光源を備える照明装置、該照明装置を備える位置情報管理システム及び光源を備える照明装置の製造方法に関する。
【背景技術】
【０００２】
近年、照明装置の開発が盛んに行われている。
【０００３】
例えば、特許文献１、２には、端末装置（無線端末）の位置情報管理を可能とする照明装置が開示されている。
【発明の概要】
【発明が解決しようとする課題】
【０００４】
しかしながら、特許文献１、２に開示されている照明装置では、照明機能の低下を抑制しつつ端末装置の位置情報管理を可能とすることは困難であった。
【課題を解決するための手段】
【０００５】
本発明は、基板と、前記基板の一面側に設けられた光源と、前記一面側に設けられ、所定の位置情報を端末装置に送信する位置情報送信器と、を備え、前記位置情報送信器は、右手／左手系複合線路メタマテリアル構造を形成するように構造化され、前記一面上に直接又は間接的に積層された第１の導電層と、前記第１の導電層上に積層された第１の絶縁層と、前記第１の絶縁層上に積層され、前記第１の導電層とそれぞれが導通接続され全体として略櫛形状を形成する複数の導電パターンを含む第２の導電層と、前記第２の導電層上に積層された第２の絶縁層と、前記第２の絶縁層における前記複数の導電パターンと重なる複数箇所に個別に設けられた複数の導電パッチと、を有し、前記基板に垂直な方向から見て、前記第２の導電層の櫛歯間に前記光源の少なくとも一部が配置されていることを特徴とする照明装置である。
【発明の効果】
【０００６】
本発明によれば、照明機能の低下を抑制しつつ端末装置の位置情報管理を可能とすることができる。
【図面の簡単な説明】
【０００７】
【図１】本発明の一実施形態における位置情報管理システムを表す図（その１）である。
【図２】本発明の一実施形態における位置情報管理システムを表す図（その２）である。
【図３】本発明の一実施形態における位置情報管理システムを構成するネットワークを表す図である。
【図４】本発明の一実施形態における照明器具の外観構成を例示する図である。
【図５】本発明の一実施形態における照明装置を例示する斜視図である。
【図６】本発明の一実施形態における照明装置を例示する側面図である。
【図７】図６のＡ−Ａ断面図である。
【図８】本発明の一実施形態における照明装置の内部構成を例示する図（その１）である。
【図９】本発明の一実施形態における照明装置の内部構成を例示する図（その２）である。
【図１０】右手／左手系複合線路を示す図である。
【図１１】図１１（Ａ）及び図１１（Ｂ）は、それぞれ右手／左手系複合線路の通常の分散特性及びバンドギャップが消失するときの分散特性を示す図（その１及びその２）である。
【図１２】図１２（Ａ）は、右手／左手系複合線路の漏洩放射現象を説明するための図であり、図１２（Ｂ）は、右手／左手系複合線路の漏洩波アンテナについて説明するための図である。
【図１３】図１３（Ａ）〜図１３（Ｃ）は、それぞれ本発明の一実施形態における位置信号送信器の単位セルの層構成について説明するための図（その１〜その３）である。
【図１４】図１４（Ａ）及び図１４（Ｂ）は、それぞれ本発明の一実施形態における位置信号送信器の単位セルについて説明するための図（その４及びその５）である。
【図１５】本発明の一実施形態における位置信号送信器のアンテナの分散特性図である。
【図１６】本発明の一実施形態における照明器具のハードウェア構成図である。
【図１７】本発明の一実施形態における照明装置の駆動回路の概略ブロック図である。
【図１８】本発明の一実施形態における無線端末のハードウェア構成図である。
【図１９】本発明の一実施形態における管理装置のハードウェア構成図である。
【図２０】本発明の一実施形態における管理サーバのハードウェア構成図である。
【図２１】本発明の一実施形態における照明器具の機能ブロック図である。
【図２２】本発明の一実施形態における無線端末の機能ブロック図である。
【図２３】本発明の一実施形態における管理装置の機能ブロック図である。
【図２４】本発明の一実施形態における管理サーバの機能ブロック図である。
【図２５】本発明の一実施形態における照明装置が保持する情報の例を表す図である。
【図２６】本発明の一実施形態における無線端末が保持する情報の例を表す図である。
【図２７】本発明の一実施形態における無線端末が送信する位置情報のフォーマットの例を表す図である。
【図２８】本発明の一実施形態における管理サーバが保持する情報の例を表す図である。
【図２９】本発明の一実施形態における位置情報管理システムの動作シーケンスを表す図である。
【図３０】本発明の一実施形態における管理サーバの検索画面の例を表す図である。
【図３１】本発明の一実施形態における管理サーバの検索結果画面の例を表す図である。
【図３２】本発明の一実施形態の変形例１における照明装置の内部構成を例示する図である。
【図３３】図３３（Ａ）〜図３３（Ｃ）は、それぞれ本発明の一実施形態の変形例１における位置信号送信器の単位セルについて説明するための図（その１〜その３）である。
【図３４】図３４（Ａ）〜図３４（Ｄ）は、それぞれ本発明の一実施形態の変形例１における位置信号送信器の単位セルについて説明するための図（その４〜その７）である。
【図３５】本発明の一実施形態の変形例１における位置信号送信器のアンテナの分散特性図である。
【図３６】本発明の一実施形態の変形例２における照明装置の内部構成を例示する図である。
【図３７】図３７（Ａ）〜図３７（Ｄ）は、本発明の一実施形態の変形例２における位置信号送信器の単位セルについて説明するための図（その１〜その４）である。
【図３８】本発明の一実施形態の変形例２における位置信号送信器のアンテナの分散特性図である。
【発明を実施するための形態】
【０００８】
以下、本発明の実施形態を図面に基づいて説明する。
【０００９】
１．システム
２．ハードウェア構成例
３．機能
４．動作シーケンス
【００１０】
（１．システム）
図１は、本発明の実施形態に係る位置情報管理システム全体の概略図である。
図１に示されるように、本実施形態の位置情報管理システム１は、屋内αの天井β側の複数の配信装置（３ａ，３ｂ，３ｃ，３ｄ，３ｅ，３ｆ，３ｇ，３ｈ）と、屋内αの床側の複数の通信端末（５ａ，５ｂ，５ｃ，５ｄ，５ｅ，５ｆ，５ｇ，５ｈ）と、位置管理装置９によって構築されている。
【００１１】
また、各配信装置（３ａ，３ｂ，３ｃ，３ｄ，３ｅ，３ｆ，３ｇ，３ｈ）は、それぞれが設置される位置（それぞれが設置された後は「設置された位置」を意味する）を示す位置情報（Ｘａ，Ｘｂ，Ｘｃ，Ｘｄ，Ｘｅ，Ｘｆ，Ｘｇ，Ｘｈ）を記憶しており、屋内αの床に向けて各位置情報（Ｘａ，Ｘｂ，Ｘｃ，Ｘｄ，Ｘｅ，Ｘｆ，Ｘｇ，Ｘｈ）を配信する。更に、各配信装置（３ａ，３ｂ，３ｃ，３ｄ，３ｅ，３ｆ，３ｇ，３ｈ）は、それぞれを識別するための装置識別情報（Ｂａ，Ｂｂ，Ｂｃ，Ｂｄ，Ｂｅ，Ｂｆ，Ｂｇ，Ｂｈ）を記憶している。
【００１２】
なお、以下、複数の配信装置のうち任意の配信装置を「配信装置３」と示し、複数の通信端末のうち任意の通信端末を「通信端末５」と示す。また、以下の説明において「位置情報」は、複数の位置情報のうち任意の位置情報を示し、「装置識別情報」は、複数の装置識別情報のうち任意の装置識別情報を示す。装置識別情報としては、ＭＡＣ(Media Access Control)アドレスが挙げられる。
【００１３】
一方、各通信端末（５ａ，５ｂ，５ｃ，５ｄ，５ｅ，５ｆ，５ｇ，５ｈ）は、それぞれを識別するための端末識別情報（Ａａ，Ａｂ，Ａｃ，Ａｄ，Ａｅ，Ａｆ，Ａｇ，Ａｈ）を記憶している。なお、以下の説明において「端末識別情報」は、複数の端末識別情報のうち任意の端末識別情報を示す。端末識別情報としては、ＭＡＣアドレスが挙げられる。各通信端末５は、配信装置３から位置情報を受信すると、自己の端末識別情報と共に位置情報を配信装置３に対して送信する。
【００１４】
また、各配信装置３は、それぞれ屋内αの天井βに設置された電気機器（２ａ，２ｂ，２ｃ，２ｄ，２ｅ，２ｆ，２ｇ，２ｈ）に内蔵されるか又はこれらの各外部に取り付けられている。なお、以下、複数の電気機器のうち任意の電気機器を「電気機器２」と示す。
【００１５】
各電気機器２は、各配信装置３に対して電力を供給する。このうち、電気機器２ａは、蛍光灯型ＬＥＤ(Light Emitting Diode)照明器具である。電気機器２ｂは、換気扇である。電気機器２ｃは、無線ＬＡＮ(Local Area Network)のアクセスポイントである。電気機器２ｄは、スピーカである。電気機器２ｅは、非常灯である。電気機器２ｆは、火災報知機又は煙報知器である。電気機器２ｇは、監視カメラである。電気機器２ｈは、エアコンである。
【００１６】
なお、各電気機器２は、各配信装置３に電力を供給することができれば、図１に示される物以外であってもよい。例えば、上記電気機器２の例以外に、ＬＥＤではない一般の蛍光灯又は白熱灯の照明器具、外部からの人の侵入を検知する防犯センサ等が挙げられる。
【００１７】
一方、各通信端末５は、それぞれ位置管理装置９によって位置を管理される管理対象物（４ａ，４ｂ，４ｃ，４ｄ，４ｅ）の外部に取り付けられている。
【００１８】
このうち、管理対象物４ａは、鞄である。管理対象物４ｂは、テーブルである。管理対象物４ｃは、プロジェクタである。管理対象物４ｄは、テレビ会議端末である。管理対象物４ｅは、コピー機能を含んだＭＦＰ(Multi Function Product)である。管理対象物４ｆは、ほうきである。
【００１９】
また、管理対象物４ｇはパソコンであり、パソコン内に通信端末５の機能が搭載されているため、この場合は通信端末５ｇでもある。更に、管理対象物４ｈはスマートフォン等の携帯電話機であり、携帯電話機内に通信端末５の機能が搭載されているため、この場合は通信端末５ｈでもある。なお、以下、複数の管理対象物のうち任意の管理対象物を「管理対象物４」と示す。
【００２０】
また、各管理対象物４は、図１に示されている物以外であってもよい。例えば、管理対象物４の他の例として、ファクシミリ装置、スキャナ、プリンタ、コピー機、電子黒板、空気清浄機、シュレッダ、自動販売機、腕時計、カメラ、ゲーム機、車椅子、及び内視鏡等の医療機器が挙げられる。
【００２１】
次に、位置情報管理システム１を利用した位置情報の管理方法の一例の概略を説明する
【００２２】
一実施形態では、例えば、屋内αの天井βに設置されている配信装置３ａは、無線通信により、この配信装置３ａが設置された位置を示す位置情報Ｘａを配信する。これにより、通信端末５ａが位置情報Ｘａを受信する。次に、通信端末５ａは、無線通信により、配信装置３ａに、通信端末５ａを識別するための端末識別情報Ａａ及び位置情報Ｘａを送信する。この場合、通信端末５ａは、配信装置３ａから受け取った位置情報Ｘａを、配信装置３ａに送り返すことになる。
【００２３】
これにより、配信装置３ａは、端末識別情報Ａａ及び位置情報Ｘａを受信する。次に、配信装置３ａは、無線通信により、ゲートウェイ７に端末識別情報Ａａ及び位置情報Ｘａを送信する。そして、ゲートウェイ７は、ＬＡＮ８ｅを介して位置管理装置９へ端末識別情報Ａａ及び位置情報Ｘａを送信する。位置管理装置９では、端末識別情報Ａａ及び位置情報Ｘａを管理することで、位置管理装置９の管理者は、通信端末５ａ（管理対象物４ａ）の屋内αにおける位置を把握することができる。
【００２４】
また、通信端末５のうち特に通信端末（５ｇ，５ｈ）は、図１に示されているように、屋外γでは、GPS(Global Positioning System)衛星９９９から無線信号（時刻情報、軌道情報等）を受信して、地球上の位置を算出することができる。そして、通信端末（５ｇ，５ｈ）は、３Ｇ(3rd Generation)、４Ｇ(4th generation)等の移動通信システムを利用して、基地局８ａ、移動体通信網８ｂ、ゲートウェイ８ｃ、インターネット８ｄ、及びＬＡＮ８ｅを介して、位置管理装置９へ、通信端末（５ｇ，５ｈ）をそれぞれ識別するための端末識別情報（Ａｇ，Ａｈ）及び位置情報（Ｘｇ，Ｘｈ）を送信することもできる。
【００２５】
なお、基地局８ａ、移動体通信網８ｂ、ゲートウェイ８ｃ、インターネット８ｄ、ＬＡＮ８ｅ、及びゲートウェイ７によって、通信ネットワーク８が構築されている。また、地球上の緯度と経度が測位されるためには、少なくとも３つのGPS衛星が必要であるが（高度を含めると４つ必要）、簡単に説明するため、図１では１つのGPS衛星を示している。
【００２６】
図２は、一実施形態における位置情報管理システム１である。図２は、配信装置３を有する電気機器２としての照明器具１００、１０２、１０４、１０６、通信端末５としての無線端末１２０、１２２、１２４、管理装置１４０、管理サーバ１６０、照明器具と無線端末と管理装置とから構成されるネットワーク１８０及びネットワーク１９０を有する。ここで、ネットワーク１８０は、管理装置１４０によって管理される無線ネットワークである。図３は、図２において無線ネットワークを構成する照明器具１００、１０２、１０４、１０６、無線端末１２０、１２２、１２４、管理装置１４０を抜き出して示したものである。
【００２７】
照明器具１００、１０２、１０４、１０６は、例えば部屋の天井等に取り付けられ、取り付けられた位置に係る、経緯情報、建物の階数及び棟番号のような位置情報（以下「位置情報」とする）そのものを連続的又は断続的に無線送信する。照明器具１００、１０２、１０４、１０６は、それぞれが保持する位置情報を、無線信号により所定の範囲に送信する。所定の範囲は、用いられる無線信号の信号強度によって定められる。照明器具は、位置の管理対象となる領域をカバーするように配置され、それぞれの領域が重複しないように構成される。あるいは、重複する場合であっても、位置情報を受信する側において、受信電波の強度に基づいて、何れか一つの照明器具が決定できるよう構成される。図２の例では、それぞれの照明器具の下方に示される円錐型の点線が、所定の範囲を表している。位置情報を送信する通信方式として、例えば地上補完信号（Indoor  Messaging  System;IMES）を用いることができる。
【００２８】
無線端末１２０、１２２、１２４は、照明器具１００、１０２、１０４、１０６のうち、最寄りの照明器具が送信する無線信号を受信することができる。図２の例では、それぞれの無線端末は、位置を管理する対象である直方体の管理対象物に付されている。無線端末１２０、１２２、１２４は、自らも電波を送信可能な、例えばアクティブタグのような端末である。以下、無線端末１２０について説明する。
【００２９】
上記の通り、一実施形態における位置情報管理システム１において、無線端末は、最寄りの照明器具と通信できるだけの電力を用いて、識別情報と位置情報とを管理サーバへ送信することができる。また、無線端末及び管理サーバとの通信機能を照明器具に設けているため、通信機能に必要となる電源を供給するための新たなインフラの敷設が不要であり、導入コストを低減することができる。
【００３０】
なお、照明器具の位置情報は、ネットワーク１８０を通じて提供されてもよい。これにより、IMESのような位置情報を送信するための送信手段が不要となる。
【００３１】
また、無線端末は、位置情報を送信した照明器具よりさらに近傍に管理装置が存在する場合には、識別情報と位置情報とを管理装置１４０に送信してもよい。これにより、最短経路で識別情報と位置情報が管理サーバに送信できる。
【００３２】
また、管理サーバに、管理装置の機能を統合してもよい。これにより、個別の管理装置が不要となる。
【００３３】
また、無線端末は、スマートフォン、PDA、PC又はスマートメータのような、アクティブタグと同等の機能を有する無線端末であってもよい。これにより、タグを付することなく、既存の無線端末の位置情報の管理が可能となる。
【００３４】
また、上述の位置情報に加えて、例えば部屋の中の区画を表す情報のような、より細かな位置を特定する情報を含んでもよい。これにより、より細かな位置管理が可能となる。
【００３５】
また、位置管理対象が人であってもよい。これにより、当該システム１によって人の所在を管理することができる。
【００３６】
また、ネットワーク１８０は、例えばBluetooth（登録商標）  LE、ANT、Z-Wave等の近距離無線通信を用いて構成されてもよい。これにより、多様な無線端末の位置情報を管理することが可能となる。
【００３７】
また、ネットワーク１９０は、例えばインターネットのような、複数の種類のネットワークを含んでもよい。これにより、ネットワーク１８０と管理サーバ１６０との間の物理的な位置に関係なく、無線端末の位置情報を管理することが可能となる。
【００３８】
（２．ハードウェア構成例）
次に、位置情報管理システム１に含まれる照明器具１００、無線端末１２０、管理装置１４０、管理サーバ１６０のハードウェア構成について説明する。
【００３９】
図４は、本発明の一実施形態における照明器具１００が取り付けられる照明器具の外観構成を例示する図である。図４に示す様に、照明装置１５０は、直管型のランプであり、照明器具本体１３０に取り付けられる。
【００４０】
照明器具本体１３０は、例えば部屋の天井等に設けられる。照明器具本体１３０は、天井等に取り付けられる本体１３５と、照明装置１５０の端部がそれぞれ装着される第１ソケット１３１と第２ソケット１３３とを有する。第１ソケット１３１は、照明装置１５０に給電する給電端子１３２を有する。また、第２ソケット１３３は、照明装置１５０に給電する給電端子１３４を有する。照明器具本体１３０は、第１ソケット１３１及び第２ソケット１３３に両端部が装着される照明装置１５０に、内部に設けられている電源供給部から給電端子１３２，１３４を介して電源を供給する。なお、照明器具本体１３０は、例えば球型等の他の形状のランプが取り付けられる構成であっても良い。
【００４１】
照明装置１５０は、カバー１５１、両端部に設けられる口金１５２，１５４、接続端子１５３，１５５、内部に不図示の光源を有する。カバー１５１は、直管型の形状を有し、内部に光源を有する基板を収容する。口金１５２，１５４は、照明器具本体１３０の第１ソケット１３１又は第２ソケット１３３にそれぞれ装着される。接続端子１５３，１５５は、照明装置１５０が照明器具本体１３０に装着された時に、照明器具本体１３０の給電端子１３２，１３４に接続し、電力の供給を受ける。照明装置１５０の内部に設けられている光源は、接続端子１５３，１５５から供給される電力により発光し、カバー１５１を介して外部に光を照射する。
【００４２】
図５は、本発明の一実施形態における照明装置１５０を例示する斜視図である。なお、以降の図面では、ベース部１６１の表面に形成されている溝を省略して表示する場合がある。照明装置１５０のカバー１５１は、ベース部１６１、光源カバー部１６２を有する。ベース部１６１は、ＹＺ断面が長手方向（Ｘ方向）において略同一の略半円筒形状で、例えば板金を折り曲げたり、アルミニウム合金やマグネシウム合金を用いて押出成型により形成される。光源カバー部１６２は、例えばアクリル樹脂等の樹脂材料で形成されてベース部１６１に取り付けられ、内部に設けられている光源から照射される光を透過する。
【００４３】
図６は、本発明の一実施形態における照明装置１５０を例示する側面図であり、図７は図６のＡ−Ａ断面図である。図６に示す様に、照明装置１５０はベース部１６１、光源カバー部１６２、両端部に口金１５２，１５４を有する。また、図７に示す様に、ベース部１６１は、ＹＺ断面が長手方向（Ｘ軸方向）において略同一の略半円筒形状であり、内部に電源回路を含む電源モジュール１７１が設けられる。また、ベース部１６１の内部には、さらに送信制御モジュール１６３、通信制御モジュール１６４等が設けられる（図９参照）。送信制御モジュール１６３は、後述する位置信号送信器１５８による位置信号の送信を制御する回路を有する基板である。通信制御モジュール１６４は、後述する無線通信器１５９と無線端末又は管理サーバとの間の通信を制御する回路を有する基板である。
【００４４】
図７に示す様に、ベース部１６１は、ＸＹ平面に平行な平面部１７２に、光源を構成する複数のＬＥＤ素子１５６、位置信号送信器１５８及び無線通信器１５９が設けられた基板１５７が取り付けられている。光源カバー部１６２は、断面が半円形状であり、基板１５７に設けられているＬＥＤ素子１５６を覆う様にベース部１６１に取り付けられる。基板１５７上のＬＥＤ素子１５６は、ベース部１６１の内部に設けられている電源モジュール１７１から電源が供給されることで、光源カバー部１６２を介して外部に光を照射する。
【００４５】
図８は、本発明の一実施形態における照明装置１５０の内部構成を例示する図であり、照明装置１５０から光源カバー部１６２を取り外した状態を＋Ｚ側（下側）から見た図である。図８に示す様に、基板１５７の＋Ｚ側の面側には、複数のＬＥＤ素子１５６がＸ軸方向に配列されている。また、基板１５７の＋Ｚ側の面には、位置信号送信器１５８、無線通信器１５９が設けられている。
【００４６】
また、ベース部１６１の内部における基板１５７の−Ｚ側（上側）の面上には、図９に示されるように、電源モジュール１７１、送信制御モジュール１６３、通信制御モジュール１６４等が設けられている。
【００４７】
位置信号送信器１５８は、例えばIEEE802.15.4規格に適合する電波を送受信可能なアンテナを含む装置であり、例えばIMES（Indoor Messaging System）のような測位信号を送出し、当該照明装置１５０等の所定の位置情報を表す位置信号を無線端末に送信する。
【００４８】
無線通信器１５９は、例えばIEEE802.15.4規格に適合する電波を送受信可能なアンテナを含む装置である。無線通信器１５９は、位置信号を受信した無線端末から、当該無線端末の識別情報と位置情報とを受信し、受信した識別情報と位置情報とを、無線端末の位置を管理する管理サーバへ送信する。
【００４９】
ここでは、無線通信器１５９として、図８及び図９に示す様に、基板１５７からＺ軸方向に延伸するモノポールアンテナを採用している。この場合には、無線通信器１５９は、基板１５７に対して略垂直方向に設けられることで、ＬＥＤ素子１５６の光を妨げることがない。なお、無線通信器１５９は、基板１５７からＺ軸方向に螺旋状に延伸するヘリカルアンテナであっても良い。この場合にも、無線通信器１５９は、基板１５７に対して略垂直方向に延伸する様に設けられることで、ＬＥＤ素子１５６の光を妨げることがない。なお、無線通信器１５９は、位置信号送信器１５８と絶縁されている。
【００５０】
位置信号送信器１５８は、図１０に示されるように、複数の右手／左手系複合線路（以下では「ＣＲＬＨ伝送線路」とも呼ぶ）が格子定数ａでＸ軸方向に周期的に配列された周期配列構造（右手／左手系複合線路メタマテリアル構造）を有している。
【００５１】
「右手／左手系複合線路」は、右手系線路と左手系線路を組み合わせた線路であり、図１１（Ａ）及び図１１（Ｂ）に示されるような分散特性を示すことが既に良く知られている。
【００５２】
図１１（Ａ）及び図１１（Ｂ）において、横軸が位相定数、縦軸が角周波数で、横軸が０の点、π／ａの点は、それぞれΓ点、Ｘ点と呼ばれている。
【００５３】
図１１（Ａ）から分かるように、右手／左手系複合線路には、周波数軸（ω軸）の低域側に群速度と位相速度が異符合となる左手系伝播モードが、高域側に群速度と位相速度が同符号となる右手系伝播モードが存在する。
【００５４】
また、位相速度が０に近づいても群速度は有限の値をとる。左手系モードのＸ点周波数よりも低域側、及び、右手系モードのＸ点周波数よりも高域側にそれぞれ遮断帯域（stop band）が存在する。一般には、図１１（Ａ）に示されるように、右手系モードと左手系モードの間に非伝播領域であるバンドギャップが存在する。
【００５５】
ここで、図１１（Ａ）において、ＬＬ／ＣＬ＝ＬＲ／ＣＲとなるとき、バンドギャップが消失する。このとき、右手／左手系複合線路は、図１１（Ｂ）に示されるような分散特性を示す。図１１（Ｂ）では、Γ点での群速度が０にならず、線路中をエネルギーが伝送する。伝送線路中の位相速度が高速よりも速い領域では、スリットなどを設けることで伝送方向とは異なる方向に放射を起こすことができる。この現象は、漏洩放射現象と呼ばれる。
【００５６】
図１２（Ａ）に示されるように、ＬＬ／ＣＬ＝ＬＲ／ＣＲを満たすＣＲＬＨ伝送線路は、速波領域に左手系モード及び右手系モードを持つ。線路からの放射角度θは、線路中の伝播波の位相定数βと真空中の波数ｋ０と、θ＝sin−１（β／ｋ０）の関係がある。
【００５７】
左手系帯域内ではバックワード方向（−θ方向）、右手系帯域内では、フォワード方向（＋θ方向）に放射する。このようなＣＲＬＨ伝送線路のアンテナ（漏洩波アンテナ）は、連続で、かつ広角度でビーム走査が可能である（図１２（Ｂ）参照）。
【００５８】
ここで、位置信号送信器１５８は、基板１５７の＋Ｚ側の面上に実装されている。
【００５９】
詳述すると、位置信号送信器１５８は、図８に示されるように、上記ＣＲＬＨ伝送線路としてそれぞれが機能する複数の単位セルＵＣ１がＸ軸方向に周期的に配列された周期配列構造（右手／左手系複合線路メタマテリアル構造）を有している。
【００６０】
単位セルＵＣ１は、一例として、図１３（Ａ）〜図１３（Ｃ）に示されるような積層構造を有している。図１３（Ａ）は単位セルＵＣ１の平面図であり、図１３（Ｂ）は図１３（Ａ）のＰ−Ｐ断面図であり、図１３（Ｃ）は図１３（Ａ）のＱ−Ｑ断面図である。
【００６１】
詳述すると、単位セルＵＣ１は、一例として、誘電体（例えばガラス布基材エポキシ樹脂）からなる基板１５７の＋Ｚ側の面上に積層された導電体からなるグランド層としての矩形の第１の導電層２００（以下では「矩形導電層とも呼ぶ」）と、該第１の導電層２００の＋Ｚ側の面上に積層された誘電体からなる第１の絶縁層２１０と、該第１の絶縁層２１０の＋Ｚ側の面上に積層された、導電体からなる略Ｔ字形状の導電パターン２０１（以下では「Ｔ字導電パターン」とも呼ぶ）と、該導電パターン２０１の＋Ｚ側の面上に積層された誘電体からなる第２の絶縁層２１１と、該第２の絶縁層２１１の＋Ｚ側の面上におけるＴ字導電パターンに重なる領域の２つの箇所に個別に設けられた矩形の一対の導電パッチ２０２と、を備えている。ここでは、Ｔ字導電パターンのＴ字の横辺部はＸ軸に平行であり、縦辺部はＹ軸に平行である。導電層２００、第１及び第２の絶縁層２１０、２１１は、単位セルＵＣ１間で一連一体（共通）となっている。すなわち、複数の単位セルＵＣ１の導電パターン２０１は、第１及び第２の絶縁層２１０、２１１間に配列されている。
【００６２】
第１の絶縁層２１０における、Ｔ字導電パターンのＴ字の長辺部の先端部（以下では単に「先端部」とも呼ぶ）に対応する箇所には、正方形状のビア２０３（貫通孔）が形成されている。そこで、以下では、第１の絶縁層２１０を「ビア付き絶縁層」とも呼ぶ。
【００６３】
Ｔ字導電パターンの先端部は、他の部分よりも厚くなっており、ビア２０３に挿入され、フラットな矩形導電層に接触している。なお、これに代えて、Ｔ字導電パターンをフラットにするとともに、矩形導電層のビア２０３に対応する部分を、他の部分よりも厚くし、ビア２０３に挿入し、Ｔ字導電パターンに接触させても良い。また、矩形導電層及びＴ字導電パターンをいずれもフラットにするとともに、矩形導電層及びＴ字導電パターンを接続するための導電体をビア２０３に挿入しても良い。また、ビア２０３の内縁を金属等でメッキ処理してメッキ穴としても良い。要は、矩形導電層とＴ字導電パターンとを導通接続できれば良い。
【００６４】
一対の導電パッチ２０２は、第２の絶縁層２１１（以下では「パッチ側絶縁層」とも呼ぶ）の＋Ｚ側の面上におけるＴ字導電パターンのＴ字の横辺部の両端に個別に対応する位置で＋Ｚ側に突設されている。詳述すると、一対の導電パッチ２０２は、パッチ側絶縁層の＋Ｚ側の面におけるＴ字導電パターンのＴ字の横辺部の＋Ｚ側の領域にＸ軸方向に間隔Ｌで配置されている。
【００６５】
ここで、図８に示されるように、各単位セルＵＣ１のパッチ側絶縁層上におけるＴ字導電パターンとは重ならない領域上にＬＥＤ素子１５６の一部（略半分）が配置されている。
【００６６】
詳述すると、図８から分かるように、複数の単位セルＵＣ１のＴ字導電パターンは、全体として各Ｔ字導電パターンのＴ字の縦辺部を櫛歯とする櫛形状であり、Ｚ軸方向から見て、櫛歯間、最も＋Ｘ側の櫛歯の＋Ｘ側、最も−Ｘ側の櫛歯の−Ｘ側にＬＥＤ素子１５６が配置されている。
【００６７】
この場合、位置信号送信器１５８の送信性能の向上と光源の設置スペースの確保を、照明機能の低下（ＬＥＤ素子１５６からの光の放射が妨げられること）を抑制しつつ、高次元で両立できる。
【００６８】
ここで、照明装置１５０の製造方法について順を追って説明する。
【００６９】
（１）基板１５７の一面上に第１の導電層２００を直接又は間接的に積層する。具体的には、基板１５７の一面上に直接又は導電膜や絶縁膜を介して第１の導電層２００を積層する。
【００７０】
（２）第１の導電層２００上に第１の絶縁層２１０を積層する。
【００７１】
（３）第１の絶縁層２１０に複数のビア２０３を形成する。具体的には、第１の絶縁層２１０をレジストを用いてエッチングして複数のビア２０３を形成する。
【００７２】
なお、上記工程（２）、（３）の順序を逆にしても良い。具体的には、予め第１の絶縁層２１０にパンチング処理を施して複数のビア２０３を形成し、複数のビア２０３が形成された第１の絶縁層２１０を第１の導電層２００上に積層しても良い。
【００７３】
（４）第１の絶縁層２１０上に、複数の導電パターン２０１を含む第２の導電層を全体として略櫛形状となるように形成するとともに、複数の導電パターン２０１それぞれと第１の導電層２００とを導通接続する。具体的には、第１の絶縁層２１０上に導電膜を積層した後、該導電膜をレジストを用いてエッチングして複数の導電パターン２０１を形成しても良いし、予め成形した複数の導電パターン２０１を第１の絶縁層２１０上に配列しても良い。この際、ビア２０３に導電パターン２０１のＴ字の縦辺部の先端部を挿入し、該先端部第１の導電層２００に接触させる。
【００７４】
（５）複数の導電パターン２０１を含む第２の導電層上に第２の絶縁層２１１を積層する。
【００７５】
（６）第２の絶縁層２１１上における複数の導電パターン２０１と重なる複数箇所に複数の導電パッチ２０２を個別に形成する。具体的には、第２の絶縁層２１１上における各導電パターン２０１のＴ字の横辺部の一端及び他端に対応する箇所に導電パッチ２０２を取り付ける。この結果、基板１５７上に位置信号送信器１５８が形成される。
【００７６】
（７）第２の絶縁層２１１上における、隣り合う２つの導電パターン２０１のＴ字の縦辺部間に対応する領域、最も＋Ｘ側の導電パターン２０１のＴ字の縦辺部の＋Ｘ側に対応する領域、及び最も−Ｘ側の導電パターン２０１のＴ字の縦辺部の−Ｘ側に対応する領域にＬＥＤ素子１５６を１つずつ実装する。
【００７７】
（８）基板１５７の一面上に無線通信器１５９を実装し、基板１５７の他面上に電源モジュール１７１、送信制御モジュール１６３、通信制御モジュール１６４等を実装する。この際、各ＬＥＤ素子１５６と電源モジュール１７１との間の配線、位置信号送信器１５８と送信制御モジュール１６３との間の配線、無線通信器１５９と通信制御モジュール１６４との間の配線も行う。
【００７８】
（９）複数のＬＥＤ素子１５６、位置信号送信器１５８、無線通信器１５９、電源モジュール１７１、送信制御モジュール１６３、通信制御モジュール１６４等が設けられた基板１５７をベース部１６１に搭載する。
【００７９】
（１０）ベース部１６１に光源カバー部１６２を装着する。
【００８０】
以下に、図１４（Ａ）及び図１４（Ｂ）を参照して、単位セルＵＣ１の各層の寸法の具体例を挙げる。なお、図１４（Ａ）では、矩形導電層、ビア付き絶縁層、パッチ側絶縁層の図示が省略されている。層の大きさは、Ｘ軸方向の幅×Ｙ軸方向の幅で表す。図１４（Ａ）及び図１４（Ｂ）に示されるように、一例として、単位セルＵＣ１の大きさは、２０ｍｍ×５０ｍｍである。矩形導電層、ビア付き導電層、パッチ側絶縁層の大きさは、単位セルＵＣ１の大きさと同等である。矩形導電層の厚さは０．１ｍｍである。ビア付き絶縁層は、比誘電率εｒが２．２、厚さが０．２ｍｍである。ビア２０３の大きさは、５ｍｍ×５ｍｍである。パッチ側絶縁層は、比誘電率εｒが２．２、厚さが０．２ｍｍである。Ｔ字導電パターンは、厚さが０．１ｍｍ、横辺部の大きさが１９．９ｍｍ×７．９ｍｍであり、縦辺部の大きさが２ｍｍ×１６．５ｍｍである。各導電パッチ２０２の大きさは９ｍｍ×８ｍｍである。間隔Ｌは、２ｍｍである。
【００８１】
また、各絶縁層の材料としては、例えば、ＰＥＴ（Polyethylene Terephthalate樹脂）などの誘電体材料が適している。また、実際の絶縁層（スペーサ層）の材料としては比較的透明なもの（少なくとも内部を透視しうるもの）を用いる場合もある。その他、できるだけ誘電率の低い樹脂や、空気分を含む発泡材、スポンジ、ウレタン、繊維などが好ましい。さらに、有機材料としては、たとえばゴム、熱可塑性エラストマー、各種プラスチック、木材、紙材、などの高分子有機材料等の多孔質体が挙げられる。前記ゴムとしては、天然ゴムのほか、イソプレンゴム、ブタジエンゴム、スチレン−ブタジエンゴム、エチレン−プロピレンゴム、エチレン−プロピレン−ジエンゴム（ＥＰＤＭゴム）、エチレン−酢酸ビニル系ゴム、ブチルゴム、ハロゲン化ブチルゴム、クロロプレンゴム、ニトリルゴム、アクリルゴム、エチレンアクリル系ゴム、エピクロロヒドリンゴム、フッ素ゴム、ウレタンゴム、シリコンゴム、塩素化ポリエチレンゴム、水素添加ニトリルゴム（ＨＮＢＲ）などの合成ゴム単独、それらの誘導体、もしくはこれらを各種変性処理にて改質したものなどが挙げられる。これらのゴムは、単独で使用するほか、複数をブレンドして用いることができる。熱可塑性エラストマーとしては、たとえば塩素化ポリエチレンのような塩素系、エチレン系共重合体、アクリル系、エチレンアクリル共重合体系、ウレタン系、エステル系、シリコーン系、スチレン系、アミド系、オレフィン系などの各種熱可塑性エラストマーおよびそれらの誘導体が挙げられる。さらに、各種プラスチックとしては、たとえばポリエチレン、ポリプロピレン、ＡＳ樹脂、ＡＢＳ樹脂、ポリスチレン、ポリ塩化ビニル、ポリ塩化ビニリデン等の塩素系樹脂；ポリ酢酸ビニル、エチレン−酢酸ビニル共重合体、フッ素樹脂、シリコーン樹脂、アクリル系樹脂、ナイロン、ポリカーボネート、ポリエチレンテレフタレート、アルキド樹脂、不飽和ポリエステル、ポリスルホン、ポリイミド樹脂、ウレタン系樹脂、フェノール樹脂、尿素樹脂、エポキシ樹脂などの熱可塑性樹脂または熱硬化性樹脂およびこれらの誘導体、さらには共重合体やリサイクル樹脂等が挙げられる。以上の材料をそのままか、複合化、変性化して用いることができる。発泡することが好ましい。典型的な低密度の誘電体材料は、発泡スチロール樹脂などの発泡樹脂である。熱可塑性エラストマーとしては、たとえば塩素化ポリエチレンのような塩素系、エチレン系共重合体、アクリル系、エチレンアクリル共重合体系、ウレタン系、エステル系、シリコーン系、スチレン系、アミド系、オレフィン系などの各種熱可塑性エラストマーおよびそれらの誘導体が挙げられる。以上の材料をそのままか、複合化、変性化して用いることができる。発泡することが好ましい。典型的な低密度の誘電体材料は、発泡スチロール樹脂などの発泡樹脂である。以上の他に、ダンボールなどの紙材、木材、ガラス、ガラス繊維、土系材料なども使用可能である。
【００８２】
また、導電層、導電パターン、導電パッチの材料としては、金、白金、銀、ニッケル、クロム、アルミニウム、銅、亜鉛、鉛、タングステン、鉄などの金属であってもよく、樹脂に上記金属の粉末、導電性カーボンブラックの混入された樹脂混合物、あるいは導電性樹脂のフィルム等であってもよい。上記金属等を、箔状、板状、シート状、フィルム状等に加工されたものであってもよい。あるいはまた合成樹脂性フィルム上に、膜厚たとえば６００Åの金属薄層が形成された構成を有してもよい。金属箔をフィルムもしくはクロスなどの基材に転写したものでもよい。また、金属粒子系の導電インク（たとえば抵抗率１０Ω／□以下）を絶縁体に塗布してもよい。
【００８３】
図１５には、位置信号送信器１５８のアンテナの分散特性が示されている。縦軸は周波数（Ｈｚ）、横軸はｋａ／π、ただし、ｋは波数ベクトル、ａは単位セルＵＣ１の繰り返し周期（格子定数）、πは円周率である。波数ベクトルｋは波長をλとして、ｋ＝２π／λである。図１５において、Airlineは自由空間の光の分散特性を表わしている。Airlineよりも上の領域では、位相速度が真空中の光の位相速度を超え、電磁波がリークしてくる。波数ベクトルが０の点（Γ点）がアンテナの動作点になる。
【００８４】
図１６は、本発明の一実施形態における照明器具１００のハードウェア構成である。照明装置１５０は、ＣＰＵ２００、ＲＡＭ２０２、ＲＯＭ２０４、位置信号送信制御部２０６、位置信号送信部２０８、無線通信制御部２０９、無線通信部２１２、電圧変換部２１４、光源部２１５、電源制御部２１６、バス２１７を有する。
【００８５】
ＣＰＵ２００は、当該照明装置１５０における通信等の動作制御を行うプログラムを実行する。ＲＡＭ２０２は、ＣＰＵ２００のワークエリア等を構成する。ＲＯＭ２０４は、ＣＰＵ２００が実行するプログラムに加えて、当該照明器具１００の位置情報を記憶する。位置信号送信制御部２０６は、位置信号送信部２０８を介して当該照明器具１００の位置情報を表す測位信号を送信するための処理を実行する。位置信号送信部２０８は、図８等に示す位置信号送信器１５８である。無線通信制御部２０９は、無線通信部２１２を介して無線通信処理を実行する。無線通信部２１２は、図８等に示す無線通信器１５９である。電圧変換部２１４は、例えばDC/DCコンバータであり、電源制御部２１６から供給される電源の電圧を、位置信号送信部２０８、無線通信部２１２を動作させるための電圧に変換する。光源部２１５は、LED素子１５６が設けられた基板１５７である。また、電源制御部２１６は、例えば平滑回路及び電流監視回路であり、供給される電源を、光源部２１５を動作させるのに適したものに変換する。バス２１７は、上記装置を電気的に接続する。
【００８６】
上記構成により、本発明の一実施形態における照明装置１５０は、無線端末１２０に対して位置情報を送信し、無線端末１２０から識別情報と位置情報を受信し、これらの情報を管理装置を介して管理サーバへ送信することができる。なお、上述したように、位置情報を無線通信制御部２０９と無線通信部２１２によって送信する場合には、位置信号送信制御部２０６と位置信号送信部２０８は不要となる。
【００８７】
また、図１７は、本発明の一実施形態における照明装置１５０の駆動回路の概略ブロック図である。図１７に示す様に、照明装置１５０の駆動回路は、第１電源入力部２９０、第２電源入力部２９４、駆動部２９８を有する。
【００８８】
第１電源入力部２９０は、接続端子１５３に接続し、照明器具本体１３０のソケット１３１の給電端子１３２から安定器を介して電源が供給され、電源のノイズを除去して平滑化した上で直流化して駆動部２９８に直流電源を供給する。第２電源入力部２９４は、接続端子１５５に接続し、照明器具本体１３０のソケット１３３の給電端子１３４から安定器を介して電源が供給され、電源のノイズを除去して平滑化した上で直流化して駆動部２９８に直流電源を供給する。照明装置１５０は、第１電源入力部２９０と第２電源入力部２９４の何れか一方の電源入力部から電源を供給されることができ、両方の電源入力部が同時に電源を供給されることもできる。
【００８９】
第１電源入力部２９０及び第２電源入力部２９４は、それぞれ保護部２９１，２９５、ノイズ除去部２９２，２９６、平滑部２９３，２９７を有する。保護部２９１，２９５は、異常電源の入力を防止することで、駆動部２９８及び光源部２１５を保護する。ノイズ除去部２９２，２９６は、供給される電源に外部から流入されるサージ及びノイズを除去して出力する。平滑部２９３，２９６は、ノイズ除去部２９２，２９６から入力される電源を平滑化し直流化して駆動部２９８に供給する。
【００９０】
駆動部２９８は、平滑部２９３，２９７の出力電源を昇圧又は降圧し、常に一定の大きさの電流を光源部２１５に供給する。
【００９１】
照明装置１５０は、例えば上記した構成により、接続端子１５３，１５５の何れか一方から電源が入力された場合にも、他方から電源が流出しないため、接触による電気事故を防止し、特別な電源工事を必要とせずに安全に取り付けることができる。また、入力される電源からノイズ等を遮断することで光源部２１５を保護し、安定した照明機能を提供できる。
【００９２】
図１８は、本発明の一実施形態における無線端末１２０のハードウェア構成を表す。無線端末１２０は、ＣＰＵ２２０、ＲＡＭ２２２、ＲＯＭ２２４、位置信号受信制御部２２６、位置信号受信部２２８、無線通信制御部２３０、無線通信部２３２、加速度検出制御部２３４、加速度検出部２３６及びバス２３８を有する。
【００９３】
ＣＰＵ２２０は、当該無線端末１２０の動作制御を行うプログラムを実行する。ＲＡＭ２２２は、ＣＰＵ２２０のワークエリア等を構成する。ＲＯＭ２２４は、ＣＰＵ２２０が実行するプログラムに加えて、当該無線端末１２０の識別情報や、照明器具１００から受信した位置情報を記憶する。位置信号受信制御部２２６は、位置信号受信部２２８を介して、位置情報を表す測位信号を受信するための処理を実行する。位置信号受信部２２８は、例えばIMESのような測位信号を受信するアンテナを含む装置である。無線通信制御部２３０は、無線通信部２３２を介して無線通信処理を実行する。無線通信部２３２は、例えばIEEE802.15.4規格に適合する電波を送受信可能なアンテナを含む装置である。加速度検出制御部２３４は、加速度検出部２３６を介して加速度の変化を検出する。加速度検出部２３６は、例えば加速度センサ又は慣性力や磁気を用いたモーションセンサである。バス２３８は、上記各部を電気的に接続する。
【００９４】
上記構成により、一実施形態における無線端末１２０は、照明器具１００から位置情報を受信し、前記位置情報と共に自らの識別情報を照明器具１００へ送信することができる。特に、無線端末が動かされたタイミングで送信又は受信の動作を行うことにより、効率的に識別情報及び位置情報を送信することができる。
【００９５】
なお、無線端末１２０がスマートフォンやＰＣのような情報端末である場合には、ユーザからの入力を受け付ける、例えばタッチパネル、ダイヤルキー、キーボード、マウスのような入力装置及び対応する入力制御部を備えてもよい。さらに、スクリーンのような表示装置及び対応する表示制御部を備えてもよい。
【００９６】
また、無線端末１２０がGPSアンテナ及び対応する制御部を備える場合には、前記アンテナを用いてIMESによる測位信号を受信でき、ソフトウェアの改修のみによって当該位置情報管理システム１に対応させることができる。
【００９７】
また、加速度検出制御部２３４及び加速度検出部２３６は任意の構成要素である。加速度検出制御部２３４及び加速度検出部２３６を備えない場合には、当該無線端末１２０の送信又は受信の動作は、予め定められた間隔又は時刻においてなされる。
【００９８】
また、上述したように、位置情報が無線通信制御部２３０及び無線通信部２３２によって受信される場合には、位置信号受信制御部２２６と位置信号受信部２２８は不要となる。
【００９９】
図１９は、本発明の一実施形態における管理装置１４０のハードウェア構成を表す。管理装置１４０は、ＣＰＵ２４０、ＲＡＭ２４２、ＲＯＭ２４４、無線通信制御部２４６、無線通信部２４８、有線通信制御部２５０、有線通信部２５２及びバス２５４を有する。
【０１００】
ＣＰＵ２４０は、当該管理装置１４０の動作制御を行うプログラムを実行する。ＲＡＭ２４２は、ＣＰＵ２４０のワークエリア等を構成する。ＲＯＭ２４４は、ＣＰＵ２４０が実行するプログラムや該プログラムが使用するデータを記憶する。無線通信制御部２４６は、無線通信部２４８を介して無線通信処理を実行する。無線通信部２４８は、例えばIEEE802.15.4規格に適合する電波を送受信可能なアンテナを含む装置である。有線通信制御部２５０は、有線通信部２５２を介して有線による通信処理を実行する。有線通信部２５２は、例えばIEEE802.3規格に適合するネットワークインターフェースを有する装置である。バス２５４は、上記各部を電気的に接続する。
【０１０１】
上記構成により、本発明の一実施形態における管理装置１４０は、照明器具１００及び無線端末１２０を含むネットワーク１８０からの信号を、管理サーバ１６０を含むネットワーク１９０へと変換することができる。また、PANを構成するネットワーク１８０がZigBee（登録商標）である場合には、PANに参加するデバイスを管理するコーディネータの機能を有することができる。
【０１０２】
図２０は、本発明の一実施形態における管理サーバ１６０のハードウェア構成を表す。管理サーバ１６０は、ＣＰＵ２６０、ＲＡＭ２６２、ＲＯＭ２６４、ＨＤＤ２６６、通信制御部２６８、通信部２７０、表示制御部２７２、表示部２７４、入力制御部２７６、入力部２７８及びバス２８０を有する。
【０１０３】
ＣＰＵ２６０は、当該管理サーバ１６０の動作制御を行うプログラムを実行する。ＲＡＭ２６２は、ＣＰＵ２６０のワークエリア等を構成する。ＲＯＭ２６４は、ＣＰＵ２６０が実行するプログラムや該プログラムが使用するデータを記憶する。ＨＤＤ２６６は、当該位置情報管理システム１で用いられる無線端末１２０の位置を管理するための情報を記憶する。通信制御部２６８は、通信部２７０を介して通信処理を実行する。通信部２７０は、例えばIEEE802.3規格に適合するネットワークインターフェースを有する装置である。表示制御部２７２は、当該管理サーバ１６０上で実行される、位置管理に係るプログラムの処理内容に合わせて、表示部２７４に表示される内容を制御する。表示部２７４は、例えば液晶ディスプレイやＣＲＴディスプレイのようなディスプレイが含まれる。入力制御部２７６は、ユーザからの入力を受け付ける、キーボード、マウス等の入力部２７８からの信号を処理する。バス２８０は、上記各部を電気的に接続する。
【０１０４】
上記構成により、本発明の一実施形態における管理サーバ１６０は、無線端末１２０の位置を管理し、該無線端末１２０の所在を探索することができる。
【０１０５】
なお、ＨＤＤ２６６は、テープドライブを含むあらゆる記憶装置であってもよく、あるいは、ネットワークを介してアクセス可能なストレージ領域であってもよい。
【０１０６】
また、管理サーバ１６０は、上述した管理装置１４０が備える無線通信制御部及び無線通信装置を備え、管理装置１４０に代えて、その処理を行ってもよい。これにより、管理装置１４０を別途設ける必要がなくなる。
【０１０７】
（３．機能）
図２１は、本発明の一実施形態における照明器具１００の機能ブロック図を表す。本発明の一実施形態における照明器具１００の照明装置１５０は、記憶手段３１５、通信手段３０７及び制御手段３１２を有する。
【０１０８】
記憶手段３１５は、照明装置１５０の位置情報３１７を記憶する。位置情報３１７を記憶するためのテーブルの例を図２５に示す。図２５は、階数、緯度、経度、棟番号の項目を含む。階数は、照明装置１５０が設置される建物の階数を表す。緯度及び経度は、照明装置１５０の所在する位置の緯度及び経度を表す。棟番号は、照明装置１５０が設置される建物の棟番号を表す。図２５の例では、照明装置１５０は、ある建物のＣ棟の１６階に所在し、緯度が３５．４５９５５５、経度が１３９．３８７１１０の地点に所在する。
【０１０９】
通信手段３０７は、位置情報送信手段３０９、端末情報受信手段３０８及び端末情報送信手段３１９を有する。
【０１１０】
位置情報送信手段３０９は、経緯情報、建物の階数、棟番号のような情報を含む位置情報３１７を、所定の範囲にある無線端末１２０に対して連続的又は断続的に無線送信する。位置情報３１７は、例えばIMESに規定されるフォーマットを用いて送信される。位置情報送信手段３０９は、例えば照明装置１５０が備える位置信号送信器１５８である。
【０１１１】
端末情報受信手段３０８は、無線端末１２０から送信された識別情報と位置情報とを受信する。端末情報送信手段３１９は、無線端末１２０から送信された識別情報と位置情報とを、管理装置１４０を介して管理サーバ１６０へ送信する。ネットワーク１８０がZigBee（登録商標）規格を用いてなされる場合には、前記送信は、照明装置１５０が保持するルーティング情報を用いて行われる。端末情報受信手段３０８及び端末情報送信手段３１９は、例えば照明装置１５０が備える無線通信器１５９である。
【０１１２】
制御手段３１２は、当該照明器具１００の照明装置１５０の動作を制御する。照明装置１５０が無線端末１２０及び管理装置１４０とZigBee（登録商標）を用いてPANを構成する場合には、照明装置１５０がルータ機能を提供するよう制御する。
【０１１３】
上記構成により、本発明の一実施形態における照明器具１００は、位置情報３１７を保持し、位置情報３１７を無線端末１２０に送信し、該無線端末１２０の識別情報と位置情報を受信して、該識別情報を管理装置１４０を通じて管理サーバへ送信することができる。
【０１１４】
なお、位置情報３１７は、照明装置１５０の経緯座標、照明装置１５０が配置される建物のフロア情報及び照明装置１５０が配置される建物情報のうち少なくとも１つ以上を含んで構成される。また、位置情報３１７は、建物情報として、照明装置１５０が設置される建物名や、部屋の中の区画を表す情報のような追加の情報を含んでもよい。これにより、より細かな位置管理が可能となる。
【０１１５】
図２２は、一実施形態における無線端末１２０の機能ブロック図を表す。一実施形態における無線端末１２０は、記憶手段３２０、通信手段３２６、加速度検出手段３３２及び制御手段３３４を有する。
【０１１６】
記憶手段３２０は、識別情報３２２と位置情報３２４を有する。識別情報３２２は、当該無線端末１２０のネットワークアドレスのような、当該位置情報管理システム１上で無線端末１２０を特定可能な情報を含む。例えば、ネットワーク１８０がIEEE802.15.4及びZigBee（登録商標）規格に基づく場合には、IEEE802.15.4の短縮アドレス又はIEEE拡張（MAC）アドレスを用いることができる。位置情報３２４は、照明器具１００から送信された位置情報３１７である。位置情報３２４を記憶するためのテーブルの例を図２６に示す。構成は図２５と同様である。
【０１１７】
通信手段３２６は、位置情報受信手段３２８と識別情報送信手段３３０を有する。
【０１１８】
位置情報受信手段３２８は、照明器具１００から送信された位置情報３１７を受信する。受信された位置情報３１７は、当該無線端末１２０の記憶手段３２０に保持される。
【０１１９】
識別情報送信手段３３０は、当該無線端末１２０の識別情報３２２と共に位置情報３２４を照明器具１００に送信する。位置情報３２４は、例えば図２７のようなフォーマットにより照明器具１００に送信される。図２７のフォーマットでは、階数、緯度、経度、棟番号の各フィールドが、それぞれ９ビット、２１ビット、２１ビット、８ビットで表現され、IMES規格によって受信したメッセージの該当フィールドを繋げた形とする。各フィールドの表現形式はIMES規格に準ずる。実際には、このフォーマットに加えて、通信方式によって規定されるヘッダやチェックサム情報が付加されて送信される。通信方式として、例えばIEEE802.15.4及びZigBee（登録商標）規格が用いられる。
【０１２０】
加速度検出手段３３２は、当該無線端末１２０の加速度の変化を検出する。加速度の変化は、例えば当該無線端末１２０が移動を開始した時、該移動が停止した時、又は傾きを検出した時等に検出される。検出された加速度の変化は、当該無線端末１２０の送信又は受信の動作のタイミングを決定するために用いられる。なお、当該加速度検出手段３３２は任意の構成要素である。
【０１２１】
制御手段３３４は、位置情報受信手段３２８による位置情報の受信のタイミングと、識別情報送信手段３３０による識別情報３２２と位置情報３２４との送信のタイミングを制御する。送受信のタイミングは、加速度検出手段３３２による加速度の変化の検出に基づいて決定される。あるいは、当該無線端末１２０に予め設定された間隔あるいは時刻に基づいて決定されてもよい。また、送信と受信のタイミングは、それぞれ独立して決定されてもよい。さらに、制御手段３３４は、当該無線端末１２０が照明器具１００及び管理装置１４０と共にZigBee（登録商標）によりPANを構成する場合には、当該無線端末１２０がエンドポイント機能を提供するよう制御する。
【０１２２】
上記構成により、本発明の一実施形態における無線端末１２０は、照明器具から位置情報を効率的に受信し、該位置情報と共に識別情報通信装置へ効率的に送信することができる。
【０１２３】
なお、無線端末１２０がスマートフォンやＰＣのような情報端末である場合には、ユーザからの入力を受け付ける入力手段や、ユーザに情報を提示する表示手段を備えてもよい。これにより、ユーザへの識別情報又は位置情報の提示や、ユーザからの識別情報又は位置情報の入力又は修正が可能となる。
【０１２４】
図２３は、一実施形態における管理装置１４０の機能ブロック図を表す。一実施形態における管理装置１４０は、通信手段３４０、変換手段３４６及び制御手段３４８を有する。
【０１２５】
通信手段３４０は、受信手段３４２と送信手段３４４を有する。受信手段３４２は、ネットワーク１８０に属する照明器具又は無線端末から送信されたデータを受信する。送信手段３４４は、当該管理装置１４０で変換された前記データを、ネットワーク１９０に属する管理サーバ１６０へ送信する。ネットワーク１８０は、例えばIEEE802.15.4及びZigBee（登録商標）規格に基づくPANである。また、ネットワーク１９０は、例えばIEEE802.3規格に基づくLANである。
【０１２６】
変換手段３４６は、受信手段３４２がネットワーク１８０から受信したデータを、ネットワーク１９０に適合する形式に変換する。変換されたデータは、送信手段３４４によって、ネットワーク１９０を介して管理サーバ１６０へ送信される。ここで、前記データに含まれる、無線端末１２０の識別情報が、IEEE802.15.4の短縮アドレスで表されている場合には、PAN構成時の情報に基づき、IEEE拡張アドレスに変換される。
【０１２７】
制御手段３４８は、当該管理装置１４０の動作を制御する。当該管理装置１４０が照明器具１００と無線端末１２０と共にZigBee（登録商標）規格によりPANを構成する場合には、当該管理装置１４０がコーディネータ機能を提供するよう制御する。
【０１２８】
上記構成により、一実施形態における管理装置１４０は、照明器具１００及び無線端末１２０が属するネットワーク１８０と、管理サーバが属するネットワーク１９０との間の通信をブリッジすることができる。
【０１２９】
図２４は、一実施形態における管理サーバ１６０の機能ブロック図を表す。一実施形態における管理サーバ１６０は、通信手段３６０、記憶手段３６６、入力手段３７０、表示手段３７２及び制御手段３７４を有する。
【０１３０】
通信手段３６０は、受信手段３６２と送信手段３６４を有する。受信手段３６２は、管理装置１４０を通じて無線端末から送信された識別情報と位置情報とを受信する。受信された識別情報と位置情報は、記憶手段３６６に記憶される。送信手段３６４は、外部サーバ等に対して位置情報の提供を求められた場合に、該位置情報を前記外部サーバ等に送信する。
【０１３１】
記憶手段３６６は、位置管理情報３６８を有する。位置管理情報３６８は、無線端末１２０から受信した識別情報と位置情報に、受信時刻等の管理情報を付加した情報である。該情報を記憶するテーブルの例を図２８に示す。図２８は、識別情報、機器名、所有部署、緯度、経度、階数、棟、受信日時の項目を有する。識別情報は、当該識別情報を送信した無線端末１２０の、例えばIEEE拡張アドレスのような情報である。緯度、経度、階数、棟は、識別情報と共に受信された位置情報に対応する。受信日時は、管理サーバ１６０が当該情報を受信した日時である。機器名は、当該情報を送信した無線端末１２０が付される管理対象の名前又は無線端末１２０の機器名である。所有部署は、当該情報を送信した無線端末１２０を所有する部署名である。機器名及び所有部署の情報は、予め当該管理サーバ１６０によって、識別情報と関連付けられている。
【０１３２】
入力手段３７０は、ユーザが位置情報を探索するために、ユーザからの入力を受け付ける。
【０１３３】
表示手段３７２は、ユーザが位置情報を探索するための検索画面に係るＧＵＩを画面上に表示する。検索画面の例を図３０に示す。図３０に示された「所在検索システム」では、記憶手段３６６に記憶された情報を元に、無線端末に係る所有部署と機器名を画面に一覧表示する。ユーザが、検索したい機器のチェックボックスを入力手段３７０を通じて選択すると、チェックマークが付される。検索したい機器に全てチェックマークを付けた後に「検索実行」ボタンを選択すると、検索が実行され、結果を表示する画面に切り替わる。図３０の例では、ユーザが「営業１課」が所有する「ＵＣＳ  Ｐ３０００」という機器を対象として検索を実行する例を示している。図３１は、その検索結果の画面の例である。「検索実行」ボタンが選択されると、表示手段３７２は、記憶手段３６６に記憶されたデータを元に、「ＵＣＳ  Ｐ３０００」が所在する「A棟4階」のフロア図と、その機器名及び受信日時を表示する。
【０１３４】
制御手段３７４は、当該管理サーバの動作を制御する。
【０１３５】
上記構成により、一実施形態における管理サーバ１６０は、無線端末の位置を管理し、その所在を検索することができる。特に、無線端末の位置そのものを表す情報そのものを直接受信して管理することができ、位置の探索にかかる計算量を低減することができる。
【０１３６】
なお、管理サーバ１６０は、管理装置１４０の有する変換手段３４６、制御手段３４８及び受信手段３４２と同様の機能を有し、管理装置１４０と同様の機能を有してもよい。これにより、管理装置１４０を個別に設ける必要がなくなる。
【０１３７】
また、管理サーバ１６０によって記憶される位置管理情報３６８は、図２９に示された情報と共に、あるいは該情報に代えて、無線端末が情報を送信した日時、経由した通信装置又は管理装置の識別子、情報の到着までにかかった時間又は電界強度を含む情報を記憶してもよい。これにより、より詳細な条件で位置情報を管理することができる。
【０１３８】
また、管理サーバ１６０は、無線端末の過去の位置情報を記録してもよい。これにより、無線端末の移動を追跡することができる。
【０１３９】
（４．動作シーケンス）
図２９は、図２の構成における一実施形態における位置情報管理システム１の動作シーケンスを表す図である。図２９では、加速度の変化を検知すると位置情報を受信し、識別情報を送信する無線端末１２０と、該無線端末１２０の属する領域に位置情報を送信する照明器具１００と、PAN（IEEE802.15.4及びZigBee（登録商標））とLAN（IEEE802.3）とをブリッジする管理装置１４０と、管理サーバ１６０とで構成される例について説明する。照明器具１００と、無線端末１２０と、管理装置１４０との間のPANは既に確立されているものとする。
【０１４０】
ステップＳ８００において、照明器具１００は、IMES等を用いて位置情報を連続的又は断続的に送信する。
ステップＳ８０２において、無線端末１２０は、加速度の変化を検知する。
ステップＳ８０４において、無線端末１２０は、照明器具１００から送信される位置情報を受信する。
ステップＳ８０６において、無線端末１２０は、受信された位置情報を記憶する。
ステップＳ８０８において、無線端末１２０は、識別情報と位置情報を照明器具１００へ送信する。
ステップＳ８１０において、照明器具１００は、無線端末１２０から受信した識別情報と位置情報とを最小経路を通じて管理装置へ送信する。
ステップＳ８１２において、管理装置１４０は、照明器具１００から受信した識別情報と位置情報を含む、ネットワーク１８０から送信されたデータをネットワーク１９０で適合する形式へと変換する。
ステップＳ８１４において、管理装置１４０は、ネットワーク１９０に適合する形式に変換された識別情報と位置情報を管理サーバ１６０へ送信する。
ステップＳ８１６において、管理サーバ１６０は、管理装置から受信した識別情報と位置情報を、識別情報に対応する無線端末の情報と共に登録する。
【０１４１】
以上の手順により、本発明の一実施形態における位置情報管理システム１は、無線端末が最寄りの照明器具に対して効率よく識別情報と位置情報とを送信することにより、無線端末の消費電力を抑えることができる。
【０１４２】
なお、既に述べたように、管理サーバ１６０が管理装置１４０の機能を統合して実行してもよい。この場合には、別個の管理装置１４０を設置する必要がなくなる。
【０１４３】
また、無線端末が加速度検出手段３３２を備えていない場合には、ステップＳ８０２は実行されず、ステップＳ８０４における位置情報の受信は、所定の時刻又は所定の間隔で行われ得る。その後の処理は、ステップＳ８０６〜Ｓ８１６と同様である。
【０１４４】
以上説明した本実施形態の照明装置１５０は、基板１５７と、該基板１５７の一面（＋Ｚ側の面）側に設けられた光源と、該一面側に設けられ、所定の位置情報を端末装置（無線端末）に送信する位置信号送信器１５８（位置情報送信器）と、を備え、位置信号送信器１５８は、右手／左手系複合線路メタマテリアル構造を形成するように構造化され、一面上に積層された第１の導電層３００（グランド層）と、第１の導電層３００上に積層された第１の絶縁層３１０（ビア付き絶縁層）と、該第１の絶縁層３１０上に積層され、第１の導電層３００とそれぞれが導通接続され全体として略櫛形状を形成する複数の導電パターン２０１（Ｔ字導電パターン）を含む第２の導電層と、該第２の導電層上に積層された第２の絶縁層２１１と、該第２の絶縁層２１１における複数の導電パターンと重なる複数箇所に個別に設けられた複数の導電パッチ２０２と、を有し、基板１５７に垂直な方向から見て、第２の導電層の櫛歯間に光源の一部が配置されている。
【０１４５】
この場合、基板１５７の一面側における光源の設置スペースの狭小化を抑制しつつ所定の位置情報を端末装置に送信できる。
【０１４６】
この結果、照明機能の低下を抑制しつつ端末装置の位置情報管理を可能とすることができる。
【０１４７】
一方、例えば特許文献２に開示されている照明装置では、端末装置（無線端末）との間で固有情報を送受信する通信器を照明装置に組み込む場合に、該通信器のアンテナを光源の両端部に配置しているが、その分、光源の設置スペースが狭小化し、照明輝度が減少する。すなわち、特許文献２の照明装置では、照明機能の低下を抑制しつつ端末装置の位置情報管理を可能とすることができない。また、特許文献２の照明装置では、アンテナの配置に制限があり、レイアウトに支障をきたすおそれがある。
【０１４８】
また、光源は複数のＬＥＤ素子１５６を含み、導電パターン２０１は縦辺部が櫛歯となる略Ｔ字形状であり、基板１５７に垂直な方向（Ｚ軸方向）から見て、隣り合う２つの導電パターン２０１の縦辺部間にＬＥＤ素子１５６が１つ配置されている。
【０１４９】
この場合、照明機能の低下及び位置信号送信器１５８の送信性能の低下を抑制することができる。
【０１５０】
また、導電パターン２０１の縦辺部と第１の導電層２００とが導通接続され、第２の絶縁層における導電パターン２０１の横辺部の一端及び他端に対応する箇所に導電パッチ２０２が設けられている。
【０１５１】
この場合、位置信号送信器１５８の送信性能の向上を図ることができる。
【０１５２】
また、導電パッチ２０２は、基板１５７に垂直な方向（Ｚ軸方向）に凸形状であるため、近傍の金属の影響を低減でき、広帯域性や、アンテナゲイン特性が損なわれるのを抑制できる。
【０１５３】
一方、フィルム状のシートにリソグラフィや印刷技術により形成された平面アンテナもあるが、多くは近傍の金属の影響により、広帯域性や、アンテナゲイン特性が損なわれるおそれがある。
【０１５４】
また、各導電パターン２０１と第１の導電層２００の接続部は、第１の絶縁層２１０に設けられたビア２０３（貫通孔）に挿入されているため、単位セルＵＣ１を大型化することなく、各導電パターン２０１と第１の導電層２００を導通接続できる。
【０１５５】
また、各導電パターン２０１と第１の導電層２００の接続部と、導電パッチ２０２とは、基板１５７に垂直な方向（Ｚ軸方向）から見て重なっていない。
【０１５６】
また、位置信号送信器１５８は、屋内測位が可能な通信方式を用いて位置情報を送信するため、端末装置の屋内における位置情報を精度良く検出できる。
【０１５７】
また、照明装置１５０は、位置情報を受信した端末装置から、該端末装置の識別情報と位置情報とを受信し、識別情報と位置情報とを端末装置の位置を管理する管理サーバへ送信する無線通信器１５９を更に備える。
【０１５８】
この場合、屋内における端末装置の位置情報を管理できる。
【０１５９】
また、本実施形態の位置情報管理システム１は、照明装置１５０と、照明装置１５０の位置信号送信器１５８から位置情報を受信し、該位置情報と固有の識別情報を照明装置１５０の無線通信器１５９に送信する端末装置と、無線通信器１５９から位置情報と識別情報を受信して端末装置の位置を管理する管理サーバと、を備えていても良い。
【０１６０】
この場合、屋内における端末装置の位置情報を管理可能な位置情報管理システムを提供できる。
【０１６１】
なお、照明装置は、無線通信器１５９を有していなくも良い。この場合には、照明装置の位置信号送信器１５８から位置情報を受信した端末装置から該位置情報と固有の識別情報とを端末装置の位置を管理する管理サーバへ送信することとしても良い。
【０１６２】
また、本実施形態の照明装置１５０の製造方法は、右手／左手系複合線路メタマテリアル構造を形成するように構造化され、所定の位置情報を端末装置に送信する位置信号送信器１５８と、複数のＬＥＤ素子１５６を含む光源とが基板１５７の一面（＋Ｚ側の面）側に設けられた照明装置１５０の製造方法であって、一面上に第１の導電層２００を積層する工程と、第１の導電層２００上に第１の絶縁層２１０を積層する工程と、第１の絶縁層２１０に複数のビア２０３（貫通孔）を形成する工程と、第１の絶縁層２１０上に、複数の導電パターン２０１を含む第２の導電層を全体として略櫛形状となるように形成するとともに、複数の導電パターン２０１それぞれと第１の導電層２００とをビア２０３を通じて（介して）導通接続する工程と、第２の導電層上に第２の絶縁層２１１を積層する工程と、第２の絶縁層２１１上における複数の導電パターン２０１と重なる複数箇所に複数の導電パッチ２０２を個別に形成する工程と、第２の絶縁層２１１における第２の導電層の櫛歯間に対応する領域にＬＥＤ素子１５６を１つずつ実装する工程と、を含む。
【０１６３】
この場合、照明機能の低下を抑制しつつ端末装置の位置情報管理を可能とする照明装置１５０を製造できる。
【０１６４】
以下に、図３２〜図３５を参照して、上記実施形態の変形例１を説明する。変形例１においては、主に上記実施形態と異なる点を説明し、上記実施形態と同様の構成及び機能を有する部材には、同一の符号を付して、その説明を省略する。変形例１の位置情報管理システムは、照明装置の位置信号送信器の構成が上記実施形態と異なる。
【０１６５】
変形例１の位置信号送信器２５８は、図３２に示されるように、複数の単位セルＵＣ２（ＣＲＬＨ伝送線路）が周期的に配列された周期配列構造（右手／左手系複合線路メタマテリアル構造）を有している。
【０１６６】
図３３（Ａ）は単位セルＵＣ２の平面図であり、図３３（Ｂ）は図３３（Ａ）のＲ−Ｒ断面図であり、図３３（Ｃ）は単位セルＵＣ２の−Ｙ側から見た側面図である。
【０１６７】
各単位セルＵＣ２は、図３３（Ａ）〜図３３（Ｃ）に示されるように、第１の絶縁層３０２にビアが形成されておらず、第１の導電層３００と導電パターン３０４とが導電性接続体３０６を介して導通接続されている。ここでは、導電パターン３０４は、略Ｅ字形状である。そこで、以下では、導電パターン３０４を「Ｅ字導電パターン」とも呼ぶ。
【０１６８】
各単位セルＵＣ２のＥ字導電パターンは、Ｅ字の縦辺部がＸ軸に略平行となり、Ｅ字の各横辺部がＹ軸に平行となり、該横辺部の先端が−Ｙ側を向くように配置されている。
【０１６９】
位置信号送信器２５８でも、図３２に示されるように、複数のＬＥＤ素子１５６が基板１５７の＋Ｚ側の面側にＸ軸方向に配列されている。詳述すると、各単位セルＵＣ２のＥ字導電パターンのＥ字の上辺部と中辺部との間、中辺部と下辺部との間、最も＋Ｘ側の単位セルＵＣ２のＥ字の上辺部の＋Ｘ側、最も−Ｘ側の単位セルＵＣ２のＥ字の下辺部の−Ｘ側にＬＥＤ素子１５６が配置されている。
【０１７０】
導電性接続体３０６は、第１の導電層３００、第２の絶縁層３０２及び第２の導電層３０４から成る積層構造の＋Ｙ側の側面に長手方向がＺ軸に略平行となるように設けられている（図３３（Ａ）〜図３３（Ｃ）参照）。導電性接続体３０６の−Ｚ側の端部と第１の導電層３００の＋Ｙ側の端部とが接続され、かつ導電性接続体３０６の＋Ｚ側の端部とＥ字導電パターンのＥ字の３つの横辺部（上辺部、中辺部、下辺部）のうち中辺部の先端とが接続されている。
【０１７１】
矩形状の一対の導電パッチ３０５は、それぞれ第２の絶縁層３０３の＋Ｚ側の面上における、Ｅ字導電パターンのＥ字の３つの横辺部のうちの上辺部及び下辺部に対応する位置、すなわちＺ軸方向から見てＥ字導電パターンのＥ字の上辺部及び下辺部と重なる位置に設けられている。
【０１７２】
図３４（Ａ）〜図３４（Ｄ）を参照して、単位セルＵＣ２の各層の寸法の具体例を挙げる。層の大きさは、Ｘ軸方向の幅×Ｙ軸方向の幅、もしくはＸ軸方向の幅×Ｚ軸方向の幅で表す。単位セルＵＣ２の大きさは、１７．２ｍｍ×１３ｍｍである（図３４（Ａ）参照）。なお、図３４（Ａ）では、便宜上、単位セルＵＣ２のうちＥ字導電パターンと一対の導電パッチ３０５のみを図示している。第１の導電層３００、第１の絶縁層３０２、第２の絶縁層３０３の大きさは、単位セルＵＣ２の大きさと同等である。第１の絶縁層３０２は、厚さが１．１ｍｍの発砲ポリエチレン層（比誘電率εｒ＝１．２）と該発砲ポリエチレン層を挟む厚さが０．０３８ｍｍの２つのＰＥＴ層（比誘電率εｒ＝３．３７）とから成る３層構造である（図３４（Ｂ）参照）。導電性接続体３０６は、金属製（例えばアルミニウム）であり、その大きさは、１ｍｍ×１．１７６ｍｍである（図３４（Ｂ）参照）。Ｅ字導電パターンの縦辺部の大きさは、１６．７ｍｍ×３．５ｍｍであり（図３４（Ｄ）、図３４（Ａ）参照）、中辺部の大きさは１ｍｍ×９．５ｍｍであり（図３４（Ａ）参照）、上辺部及び下辺部の大きさは２．５ｍｍ×９．５ｍｍである（図３４（Ｄ）、図３４（Ａ）参照）。第２の絶縁層３０３は、厚さが０．０５ｍｍのＰＥＴ層（比誘電率εｒ＝３．３７）からなる。各導電パッチ３０５の大きさは、２．５ｍｍ×８．６ｍｍである（図３４（Ｃ）参照）。
【０１７３】
図３５には、位置信号送信器２５８のアンテナの分散特性が示されている。縦軸は周波数（Ｈｚ）、横軸はｋａ／π、ただし、ｋ：波数ベクトル、ａ：単位セルＵＣ２の繰り返し周期（格子定数）、π：円周率である。波数ベクトルｋは波長λとして、ｋ＝２π／λである。図３５において、Ａｉｒｌｉｎｅは自由空間の光の分散特性を表わしている。Ａｉｒｌｉｎｅよりも上の領域では、位相速度が真空中の光の位相速度を超え、電磁波がリークしてくる。波数ベクトル０の点、即ちΓ点付近がアンテナの動作点である。
【０１７４】
ここで、変形例１の照明装置の製造方法について順を追って説明する。
【０１７５】
（１）基板１５７の一面上に第１の導電層３００を直接又は間接的に積層する。具体的には、基板１５７の一面上に直接又は導電膜や絶縁膜を介して第１の導電層３００を積層する。
【０１７６】
（２）第１の導電層３００上に第１の絶縁層３０２を積層する。
【０１７７】
（３）第１の絶縁層３０２上に、複数の導電パターン３０４を含む第２の導電層を全体として略櫛形状となるように形成する。具体的には、第１の絶縁層３０２上に導電膜を積層した後、該導電膜をレジストを用いてエッチングして複数の導電パターン３０４を形成しても良いし、予め成形した複数の導電パターン３０４を第１の絶縁層３０２上に配列しても良い。
【０１７８】
（４）各導電パターン３０４と第１の導電層３００とを導通接続する。具体的には、導電性接続体３０６を、第１の絶縁層３０２の−Ｙ側の側面、第１の導電層３００の−Ｙ側の端部、導電パターン３０４のＥ字の中辺部の先端部（−Ｙ側の端部）に接合する。
【０１７９】
（５）複数の導電パターン３０４を含む第２の導電層上に第２の絶縁層３０３を積層する。
【０１８０】
（６）第２の絶縁層３０３上における複数の導電パターン３０４と重なる複数箇所に複数の導電パッチ３０５を個別に形成する。具体的には、第２の絶縁層３０３上における各導電パターン３０４のＥ字の上辺部及び下辺部に対応する箇所に導電パッチ３０５を取り付ける。この結果、基板１５７上に位置信号送信器２５８が形成される。
【０１８１】
（７）第２の絶縁層２１１上における、導電パターン３０４のＥ字の横辺部間に対応する領域、最も＋Ｘ側の導電パターン３０４のＥ字の上辺部の＋Ｘ側に対応する領域、及び最も−Ｘ側の導電パターン３０４のＥ字の下辺部の−Ｘ側に対応する領域にＬＥＤ素子１５６を１つずつ実装する。
【０１８２】
（８）基板１５７の一面上に無線通信器１５９を実装し、基板１５７の他面上に電源モジュール１７１、送信制御モジュール１６３、通信制御モジュール１６４等を実装する。この際、各ＬＥＤ素子１５６と電源モジュール１７１との間の配線、位置信号送信器２５８と送信制御モジュール１６３との間の配線、無線通信器１５９と通信制御モジュール１６４との間の配線も行う。
【０１８３】
（９）複数のＬＥＤ素子１５６、位置信号送信器１５８、無線通信器１５９、電源モジュール１７１、送信制御モジュール１６３、通信制御モジュール１６４等が設けられた基板１５７をベース部１６１に搭載する。
【０１８４】
（１０）ベース部１６１に光源カバー部１６２を装着する。
【０１８５】
以下に、図３６〜図３８を参照して、本発明の一実施形態の変形例２を説明する。変形例２においては、主に上記変形例１と異なる点を説明し、上記実施形態及び変形例１と同様の構成及び機能を有する部材には、同一の符号を付して、その説明を省略する。変形例２の位置情報管理システムは、照明装置の位置信号送信器の構成が上記変形例１と異なる。
【０１８６】
変形例２の位置信号送信器３５８は、図３６に示されるように、複数の単位セルＵＣ３（ＣＲＬＨ伝送線路）がＸ軸方向に周期的に配列された周期配列構造（右手／左手系複合線路メタマテリアル構造）を有している。
【０１８７】
単位セルＵＣ３は、上記変形例１の単位セルＵＣ２と概ね同様の構造を有している。
【０１８８】
位置信号送信器３５８でも、複数のＬＥＤ素子１５６が基板１５７の＋Ｚ側の面側にＸ軸方向に配列されている。詳述すると、各単位セルＵＣ３の第２の絶縁層３０３における、Ｅ字導電パターンのＥ字の上辺部と中辺部との間に対応する領域に２つのＬＥＤ素子１５６が配置され、該Ｅ字導電パターンのＥ字の中辺部と下辺部との間に対応する領域に２つのＬＥＤ素子１５６が配置されている。また、各導電パッチ３０７は、Ｌ字形状である。
【０１８９】
変形例２の照明装置の製造方法は、上記変形例１の照明装置の製造方法と概ね同様である。
【０１９０】
図３７（Ａ）〜図３７（Ｄ）を参照して、単位セルＵＣ３の各層の寸法の具体例を挙げる。図３７（Ａ）では、便宜上、導電パターン３０４、一対の導電パッチ３０７のみを図示している。層の大きさは、Ｘ軸方向の幅×Ｙ軸方向の幅、もしくはＸ軸方向の幅×Ｚ軸方向の幅で表す。単位セルＵＣ３の大きさは、３４．４ｍｍ×１３ｍｍである。第１の導電層３００、第１の絶縁層３０２、第２の絶縁層３０３の大きさは、単位セルＵＣ３の大きさと同等である。第１の絶縁層３０２は、厚さが１．１ｍｍの発砲ポリエチレン層（εｒ＝１．２）と該発砲ポリエチレン層を挟む厚さが０．０３８ｍｍの２つのＰＥＴ層（εｒ＝３．３７）とから成る３層構造である（図３７（Ｂ）参照）。導電性接続体３０６の大きさは、１ｍｍ×１．１７６ｍｍである。Ｅ字導電パターン３０４の大きさは３３．９ｍｍ×１３ｍｍである（図３７（Ａ）参照）。Ｅ字導電パターンは、縦辺部の大きさが３３．９ｍｍ×２．５ｍｍであり（図３７（Ｄ）参照）、中辺部の大きさが１ｍｍ×１１．５ｍｍであり（図３７（Ａ）参照）、上辺部及び下辺部の大きさが２．５ｍｍ×１１．５ｍｍである（図３７（Ａ）、図３７（Ｄ）参照）。第２の絶縁層３０３は、厚さが０．０７ｍｍの発砲ポリエチレン層（εｒ＝１．２）と厚さが０．０３８ｍｍのＰＥＴ層（εｒ＝３．３７）とから成る２層構造である（図３７（Ｂ）参照）。各導電パッチ３０７は、Ｌ字の一辺部の大きさが２．５ｍｍ×５ｍｍであり、他辺部の大きさが６．５ｍｍ×３ｍｍである（図３７（Ｃ）参照）。
【０１９１】
図３８には、位置信号送信器３５８のアンテナの分散特性が示されている。縦軸は周波数（Ｈｚ）、横軸はｋａ／π、ただし、ｋ：波数ベクトル、ａ：単位セルＵＣ３の繰り返し周期（格子定数）、π：円周率である。波数ベクトルｋは波長をλとして、ｋ＝２π／λである。図３８において、Ａｉｒｌｉｎｅは自由空間の光の分散特性を表わしている。Ａｉｒｌｉｎｅよりも上の領域では、位相速度が真空中の光の位相速度を超え、電磁波がリークしてくる。波数ベクトル０の点、即ちΓ点付近がアンテナの動作点である。
【０１９２】
以上説明した変形例１、２の照明装置は、導電パターン３０４は、各横辺部が櫛歯となる略Ｅ字形状であり、基板１５７に垂直な方向（Ｚ軸方向）から見て、導電パターン３０４（Ｅ字導電パターン）の横辺部間にＬＥＤ素子１５６が１つずつ又は２つずつ配置されている。
【０１９３】
この場合、照明機能の低下及び位置信号送信器２５８、３５８の送信性能の低下を抑制することができる。
【０１９４】
また、導電パターン３０４の３つの横辺部のうち中辺部と第１の導電層３００とが導通接続され、第２の絶縁層３０３における導電パターン３０４の３つの横辺部のうち上辺部及び下辺部に対応する箇所に導電パッチ３０７が設けられている。
【０１９５】
この場合、位置信号送信器２５８、３５８の送信性能の向上を図ることができる。
【０１９６】
また、導電パターン３０４と第１の導電層３００の接続部である導電性接続体３０６は、第１の絶縁層３０２の側面に沿って配置されているため、第１の絶縁層３０２に第１及び第２の導電層３００、３０４を接続するためのビア（貫通孔）を第１の絶縁層３０２に形成する必要がない。
【０１９７】
また、導電性接続体３０６と、導電パッチ３０７とは、基板１５７に垂直な方向（Ｚ軸方向）から見て重なっていない。
【０１９８】
また、変形例１、２の照明装置の製造方法は、右手／左手系複合線路メタマテリアル構造を形成するように構造化され、所定の位置情報を端末装置に送信する位置情報送信器と、複数のＬＥＤ素子１５６を含む光源とが基板１５７の一面側に設けられた照明装置の製造方法であって、一面上に第１の導電層３００を積層する工程と、第１の導電層３００上に第１の絶縁層３０２を積層する工程と、第１の絶縁層上３０２に、複数の導電パターン３０４を含む第２の導電層を全体として略櫛形状となるように形成する工程と、第１の導電層３００と複数の導電パターン３０４それぞれとを導通接続する工程と、第２の導電層上に第２の絶縁層３０３を積層する工程と、第２の絶縁層３０３における複数の導電パターン３０４と重なる複数箇所に複数の導電パッチを個別に形成する工程と、第２の絶縁層３０３における第２の導電層の櫛歯間に対応する領域にＬＥＤ素子１５６を少なくとも１つ実装する工程と、を含む。
【０１９９】
この場合、照明機能の低下を抑制しつつ端末装置の位置情報管理を可能とする照明装置を製造できる。
【０２００】
以上、実施形態に係る照明装置及び位置情報管理システムについて説明したが、本発明は上記実施例に限定されるものではなく、本発明の範囲内で種々の変形及び改良が可能である。
【０２０１】
例えば、配信装置３を有する電気機器２の一例として、照明装置を用いた場合について例示した。照明装置としては、直管型のＬＥＤ照明に限るものではなく、環型や球型等といったどの様な形状であっても良い。何れの場合であっても、位置信号送信器１５８、無線通信器１５９は、照明装置における光源からの光を遮らない位置に設けられる。
【０２０２】
また、上記実施形態、各変形例の照明装置は直管型の形状であるが、これに限るものではなく、例えば環型、球型等の他の形状であっても良く、基板１５７の形状やＬＥＤ素子１５６の配列、数等は照明装置１５０の形状に応じて適宜設定可能である。
【０２０３】
また、上記した様に、電気機器２としては、照明装置以外であっても良く、例えば換気扇、スピーカ、非常灯、火災報知機、煙報知器、監視カメラ、エアコンを用いることができる。
【０２０４】
また、上記実施形態、各変形例（図８、図３２、図３６参照）において、位置信号送信器の片側（＋Ｘ側又は−Ｘ側）をグランド面とショートで終端することにより、共振アンテナとして使用することにより、アンテナの放射ゲインを向上させることができる。
【０２０５】
また、上記実施形態では、Ｔ字導電パターンとビアの組み合わせを採用し、上記各変形例では、Ｅ字導電パターンと導電性接続体の組み合わせを採用しているが、例えば、Ｔ字導電パターンと導電性接続体の組み合わせを採用しても良いし、Ｅ字導電パターンとビアの組み合わせを採用しても良い。
【０２０６】
また、複数の導電パターンを含み全体として略櫛形状に形成された第２の導電層の櫛歯間に配置されるＬＥＤ素子の数は、櫛歯間の距離等に応じて適宜変更可能である。例えば櫛歯間に３つ以上のＬＥＤ素子が配置されても良い。
【０２０７】
また、上記実施形態及び各変形例では、基板１５７上に第１の導電層が直接積層されているが、導体や絶縁体を介して間接的に積層されても良い。
【０２０８】
また、上記実施形態及び各変形例では、第２の導電層の櫛歯は、先端部が第１の導電層と導通接続されているが、先端部以外の箇所（例えば中間部）が第１の導電層と導通接続されても良い。
【０２０９】
また、上記実施形態及び各変形例では、複数の単位セルが右手／左手系複合線路メタマテリアル構造を形成するように基板１５７上に１次元配列されているが、２次元配列されても良い。
【０２１０】
また、位置信号送信器の導電層、導電パターン、各絶縁層の形状や層構成、各導電パッチの形状等は、上記実施形態、各変形例で説明したものに限らず、適宜変更可能である。
【０２１１】
また、上記実施形態及び各変形例では、複数のＬＥＤ素子１５６が位置信号送信器を介して基板１５７に設けられているが、基板１５７に直接設けられても良い。具体的には、基板１５７に設けられた位置信号送信器の第２の導電層の櫛歯間の絶縁層を除去し、該絶縁層が除去され露出した基板面に複数のＬＥＤ素子１５６を実装しても良い。要は、基板１５７に垂直な方向（Ｚ軸方向）から見て第２の導電層の櫛歯間にＬＥＤ素子１５６が少なくとも１つ配置されていれば良い。
【０２１２】
また、上記実施形態及び各変形例では、発光部としてＬＥＤ素子１５６を用いているが、例えば有機ＥＬ素子等の他の発光素子を用いても良い。
【０２１３】
以下に、本発明の発明者が上記実施形態、各変形例を発案するに至った思考プロセスを説明する。
【０２１４】
近年、GPS等を用いた正確な測位が困難な施設等において、無線端末又は無線端末を有する人又は物品の位置を把握し、管理するために、様々な位置情報管理システムが提案されている。この様な位置情報管理システムでは、無線端末に位置情報を送信する送信器を例えば部屋の天井等に複数台設置するが、送信器に電源を供給するために新たな電源工事が必要となり、導入コストが高くなる可能性がある。
【０２１５】
そこで、特許文献１には、無線端末が、照明装置から発信される固有情報を受信し、該固有情報をサーバに送信することで、無線端末の位置を特定する測位システムが開示されている。特許文献１に係る測位システムでは、無線端末に固有情報を発信する機能を照明装置に設けることで、照明装置に供給される電源を用いて無線端末との通信が可能になり、当該測位システムの導入時に新たに電源工事等を行う必要が無い。
【０２１６】
しかしながら、特許文献１に係る測位システムでは、無線端末との間で固有情報を送受信する通信器を照明装置に組み込む場合に、配置によっては通信器が照明装置の光源から照射される光を妨げる場合がある。
【０２１７】
そこで、特許文献２には、通信器のアンテナを光源が設けられた基板の両端部に配置することで、照明機能の低下を抑制しつつ無線端末の位置情報管理を可能とすることを目的に開発された照明装置が開示されている。
【０２１８】
しかしながら、特許文献２に係る照明装置では、基板上に光源及び通信器のアンテナを配置する際にアンテナのデザインに制限があり、周辺の基板の影響を受け、アンテナの特性が低下するおそれがある。すなわち、特許文献２に係る照明装置では、実際には、照明機能の低下を抑制しつつ無線端末の位置情報管理を可能とすることは困難であった。
【０２１９】
ところで、金属、誘電体、磁性体、超伝導体などの小片（単位構造体）を、波長に対して十分短い間隔（波長の１０分の１程度以下）で並べることで自然にはない性質を持った媒質を人工的に構成することができる。この媒質を自然にある媒質のカテゴリに比べてより大きいカテゴリに属する媒質と言う意味でメタマテリアル（metamaterials）と呼んでいる。メタマテリアルの性質は、単位構造体の形状、材質およびそれらの配置により様々に変化する。
【０２２０】
中でも、等価的な誘電率εと透磁率μとが同時に負となるメタマテリアルは、その電界と磁界と波数ベクトルが左手系をなすことから「左手系媒質（ＬＨＭ：Left-Handed Materials）」と名付けられた。この左手系媒質を本明細書においては左手系メタマテリアルと呼ぶ。これに対して、等価的な誘電率εと透磁率μとが同時に正となる通常の媒質は「右手系媒質（ＲＨＭ：Right-Handed Materials）」と呼ばれる。特に、左手系メタマテリアルは、波の群速度（エネルギーの伝播する速度）と位相速度（位相の進む速度）の符号が逆転している波（バックワード波と呼ばれる）の存在や、また、非伝播領域で指数関数的に減衰する波であるエバネセント波の増幅、等の特異な性質を持つものである。そして、左手系メタマテリアルによるバックワード波を伝送する線路を人工的に構成することができる。このことは、下記の参考文献１、参考文献２にも記載されているように公知である。
【０２２１】
この左手系媒質構成の概念に基づき、金属パターンからなる単位セルを周期的に並べることで、バックワード波を伝播させる線路が提案されている。これまで、その伝送特性が理論的に取り扱われ、この線路が左手系伝送帯域を持つこと、左手系伝送帯域と右手系伝送帯域との間にバンドギャップが生じること、そのバンドギャップ幅は単位セル中のリアクタンスによりコントロールすることができること等が理論的に明らかになっている。これらに関しては、下記の参考文献３に記載されている。
【０２２２】
参考文献１：D. R. Smith, W. J. Padilla, D. C. Vier, S. C. Nemat-Nasser, and S. Schultz, “Composite medium with simultaneoＵＣy negative permeability and permittivity, ” Phys. Rev. Lett., vol. 84, no. 18, pp.4184-4187, May 2000 
参考文献２：C. Caloz, and T. Itoh, “Application of the transmission line theory of left-handed (LH) materials to the realization of a microstrip LH line”, IEEE-APS Int'l Symp. Digest, vol. 2, pp. 412-415, June 2002 
参考文献３：Atsushi Sanada, Chritophe Caloz and Tatsuo Itoh, “Characteristics of the Composite Right/Left-Handed Transmission Lines, ” IEEE Microwave and Wireless Component Letters, Vol.14, No.2, pp. 68-70, February 2004
【０２２３】
以上を勘案して発明者は、上記実施形態、各変形例を発案するに至った。
【符号の説明】
【０２２４】
１…位置情報管理システム、１２０、１２２、１２４…無線端末（端末装置）、１５０…照明装置、１５６…ＬＥＤ素子（発光部、光源の一部）、１５７…基板、１５８…位置信号送信器（位置情報送信器）、１５９…無線通信器、１６０…管理サーバ、２００、３００…第１の導電層、２１０、３０２…第１の絶縁層、２０１、３０４…導電パターン、２０２、３０５、３０７…導電パッチ、２０３…ビア（貫通孔）、２１１、３０３…第２の絶縁層、３０６…導電性接続体（接続部）、ＵＣ１、ＵＣ２、ＵＣ３…単位セル（右手／左手系複合線路メタマテリアル構造の一部）。
【先行技術文献】
【特許文献】
【０２２５】
【特許文献１】特許第５０５６００９号
【特許文献２】特開２０１４−１６３３８号
【図１】
0006486175.tif 000002
【図２】
0006486175.tif 000003
【図３】
0006486175.tif 000004
【図４】
0006486175.tif 000005
【図５】
0006486175.tif 000006
【図６】
0006486175.tif 000007
【図７】
0006486175.tif 000008
【図８】
0006486175.tif 000009
【図９】
0006486175.tif 000010
【図１０】
0006486175.tif 000011
【図１１】
0006486175.tif 000012
【図１２】
0006486175.tif 000013
【図１３】
0006486175.tif 000014
【図１４】
0006486175.tif 000015
【図１５】
0006486175.tif 000016
【図１６】
0006486175.tif 000017
【図１７】
0006486175.tif 000018
【図１８】
0006486175.tif 000019
【図１９】
0006486175.tif 000020
【図２０】
0006486175.tif 000021
【図２１】
0006486175.tif 000022
【図２２】
0006486175.tif 000023
【図２３】
0006486175.tif 000024
【図２４】
0006486175.tif 000025
【図２５】
0006486175.tif 000026
【図２６】
0006486175.tif 000027
【図２７】
0006486175.tif 000028
【図２８】
0006486175.tif 000029
【図２９】
0006486175.tif 000030
【図３０】
0006486175.tif 000031
【図３１】
0006486175.tif 000032
【図３２】
0006486175.tif 000033
【図３３】
0006486175.tif 000034
【図３４】
0006486175.tif 000035
【図３５】
0006486175.tif 000036
【図３６】
0006486175.tif 000037
【図３７】
0006486175.tif 000038
【図３８】
0006486175.tif 000039